(57)【要約】 【課題】  チャッキングさせる際の動作音の低減を図るとともに、確実にクランプ解除動作を行うことができる記録媒体挟持構造を提供する。【解決手段】  ターンテーブル１４とディスク押さえ部材２５との間に介在され、ターンテーブル１４とディスク押さえ部材２５とが近接するときに、ターンテーブル１４およびディスク押さえ部材２５が相対的に近づく力を吸収する衝撃吸収部と、ターンテーブル１４およびディスク押さえ部材２５が予め定める最接近距離よりも近づく方向の変位を阻止する近接阻止部とを含む弾性当接部材２９を備える。【選択図】      図１
2005056483.tif 000002
【特許請求の範囲】
【請求項１】
記録媒体が支持されるターンテーブルと、
ターンテーブルに対し近接離隔可能に構成され、ターンテーブルと協働して記録媒体を挟持する押圧手段と、
ターンテーブルと押圧手段とを互いに吸引させる吸引手段と、
ターンテーブルと押圧手段との間に介在され、ターンテーブルと押圧手段とが近接するときに、ターンテーブルおよび押圧手段が相対的に近づく力を吸収する衝撃吸収部と、ターンテーブルおよび押圧手段が予め定める最接近距離よりも近づく方向の変位を阻止する近接阻止部とを含む緩衝手段とを備えることを特徴とする記録媒体挟持構造。
【請求項２】
ターンテーブルおよび押圧手段が経時変化によって最接近距離から近づく方向へ変位することを阻止する阻止手段を、さらに備えることを特徴とする請求項１に記載の記録媒体挟持構造。
【請求項３】
ターンテーブルは、その回転軸線と記録媒体の回転軸線とを同軸に配設して記録媒体を支持するガイド部を含むことを特徴とする請求項１または２に記載の記録媒体挟持構造。
【発明の詳細な説明】
【技術分野】
【０００１】
本発明は、記録媒体挟持構造に関し、たとえばコンパクトディスク、レーザーディスク、およびデジタルバーサタイルディスク用の各種ディスク装置に適用される技術に関する。
【背景技術】
【０００２】
コンパクトディスク、レーザーディスク、およびデジタルバーサタイルディスク用の各種ディスク装置において、ターンテーブルの一表面部にディスクを支持した状態でこのディスクを挟持するディスク押さえ機構が実用に供されている。この種のディスク押さえ機構では、ディスクなしでチャッキングつまり挟持させる際の動作音の低減を図る技術（特許文献１）が提案されている。
【０００３】
図４は、従来のディスク押さえ機構１を示し、クランプ動作前のディスク押さえ機構１を、回転軸線Ｌ１を含む仮想平面で切断して見た断面図である。図５は、ディスクなしでチャッキングさせた状態の従来のディスク押さえ機構１を、回転軸線Ｌ１を含む仮想平面で切断して見た断面図である。図６は、ディスク２ありでチャッキングさせた状態の従来のディスク押さえ機構１を、回転軸線Ｌ１を含む仮想平面で切断して見た断面図である。ディスク押さえ機構１のディスク押さえ部材３のうち、ターンテーブル４に臨む一表面部に、たとえば発泡樹脂から成る緩衝材であるクランプシート５が設けられている。このクランプシート５によって前記動作音の低減が図られていた。
【０００４】
【特許文献１】特開２００１−１６７５５５号公報
【発明の開示】
【発明が解決しようとする課題】
【０００５】
従来のディスク押さえ機構１では、ディスク２なしでクランプ動作を繰り返し行うか、またはディスク２なしでチャッキング状態のまま放置することなどによって、次のような問題が生じる。チャッキングさせるための永久磁石片６およびヨーク板７の磁気吸着力でクランプシート５がつぶれ、前記クランプシート５は所期の厚さよりも薄くなる。これによって、チャッキング状態でヨーク板７は永久磁石片６にさらに近づくことになる。この場合チャッキング状態での磁気吸着力が増加する。
【０００６】
したがってクランプ解除動作に必要な解除力も増加してしまうので、動作不具合となる場合がある。またチャッキング状態のまま長期間放置した場合および環境条件によっては、クランプシート５がターンテーブル４に貼りついた状態となる。これによってクランプ解除動作の不具合につながる。
【０００７】
本発明の目的は、チャッキングさせる際の動作音の低減を図るとともに、クランプ解除動作を確実に行うことができる記録媒体挟持構造を提供することである。
【課題を解決するための手段】
【０００８】
本発明は、記録媒体が支持されるターンテーブルと、
ターンテーブルに対し近接離隔可能に構成され、ターンテーブルと協働して記録媒体を挟持する押圧手段と、
ターンテーブルと押圧手段とを互いに吸引させる吸引手段と、
ターンテーブルと押圧手段との間に介在され、ターンテーブルと押圧手段とが近接するときに、ターンテーブルおよび押圧手段が相対的に近づく力を吸収する衝撃吸収部と、ターンテーブルおよび押圧手段が予め定める最接近距離よりも近づく方向の変位を阻止する近接阻止部とを含む緩衝手段とを備えることを特徴とする記録媒体挟持構造である。
【０００９】
また本発明は、ターンテーブルおよび押圧手段が経時変化によって最接近距離から近づく方向へ変位することを阻止する阻止手段を、さらに備えることを特徴とする。
【００１０】
また本発明は、ターンテーブルは、その回転軸線と記録媒体の回転軸線とを同軸に配設して記録媒体を支持するガイド部を含むことを特徴とする。
【発明の効果】
【００１１】
本発明によれば、ターンテーブルには記録媒体が支持される。押圧手段は、ターンテーブルに対し近接離隔可能に構成され、ターンテーブルと協働して記録媒体を挟持する。また吸引手段は、ターンテーブルと押圧手段とを互いに吸引させる。
【００１２】
緩衝手段は衝撃吸収部と近接阻止部とを含む。前記衝撃吸収部は、ターンテーブルと押圧手段とが近接するときに、ターンテーブルおよび押圧手段が相対的に近づく力を吸収する。近接阻止部は、ターンテーブルおよび押圧手段が予め定める最接近距離よりも近づく方向の変位を阻止する。
【００１３】
特に緩衝手段は、ターンテーブルと押圧手段とが近接するときに、ターンテーブルおよび押圧手段が相対的に近づく力を吸収する衝撃吸収部を含んでいるので、ターンテーブルと押圧手段とのチャッキング時の衝突音を、この衝撃吸収部で吸収することができる。
【００１４】
しかも緩衝手段は、ターンテーブルおよび押圧手段が予め定める最接近距離よりも近づく方向の変位を阻止する近接阻止部を含んでいるので、これらターンテーブルおよび押圧手段が最接近距離よりも近づくことを確実に阻止することができる。したがって吸引手段による吸引力を不所望に増加させることなく、ターンテーブルおよび押圧手段を互いに離隔させる方向へ簡単にかつ確実に変位させることができる。このようにチャッキングさせる際の動作音の低減を図るとともに、クランプ解除動作を確実に行うことができる。
【００１５】
また本発明によれば、阻止手段は、ターンテーブルおよび押圧手段が経時変化によって最接近距離から近づく方向へ変位することを阻止する。仮に記録媒体をターンテーブルに支持することなく、ターンテーブルおよび押圧手段が最接近距離に保持されたとしても、これらターンテーブルおよび押圧手段が経時変化によって最接近距離から近づく方向へ変位することが、阻止手段によって安定して阻止される。このように信頼性の高い記録媒体挟持構造を実現することができる。
【００１６】
また本発明によれば、ターンテーブルはガイド部を含み、このガイド部によって、ターンテーブルの回転軸線と記録媒体の回転軸線とを同軸に配設して記録媒体を支持する。このように二つの回転軸線を同軸に配設する構造を簡単に実現することができる。
【発明を実施するための最良の形態】
【００１７】
図１は、本発明の実施の形態に係るディスク押さえ機構１０を示し、ディスクを挟持するクランプ動作前のディスク押さえ機構１０を、回転軸線Ｌａを含む仮想平面で切断して見た断面図である。図２は、ディスクなしでチャッキングさせた状態のディスク押さえ機構１０を、回転軸線Ｌａを含む仮想平面で切断して見た断面図である。前記チャッキングは「挟持」と同義である。
【００１８】
本実施の形態のディスク押さえ機構１０は、たとえばコンパクトディスク、レーザディスク、およびデジタルバーサタイルディスク用の各種ディスク装置に適用される。記録媒体挟持構造であるディスク押さえ機構１０は、主に、ターンテーブル組品１１と、クランパー組品１２とを有する。
【００１９】
ターンテーブル組品１１は、スピンドルモータ１３と、ターンテーブル１４と、永久磁石片１５とを備えている。スピンドルモータ１３の厚み方向一端側に、スピンドルモータ軸１３ａが突出するように配設されている。このスピンドルモータ軸１３ａにターンテーブル１４が固着されている。つまりターンテーブル１４には、スピンドルモータ軸１３ａにタイトに嵌合可能な孔部１６が形成されている。ターンテーブル１４は、スピンドルモータ軸１３ａに、図示外のキーなどを介して軸線Ｌａまわりの変位が規制されて連結される。換言すればスピンドルモータ１３の回転駆動力をターンテーブル１４に確実に伝達することができる。後述するが、スピンドルモータ軸１３ａにターンテーブル１４が固着された状態では、前記孔部１６にクランパー組品１２の一部が挿入可能になっている。
【００２０】
ターンテーブル１４のうち孔部１６の形成位置よりもやや半径方向外方側部分でかつ、後述するクランパー組品１２に臨んで永久磁石片１５が装備されている。このターンテーブル１４は、厚肉部１７と、この厚肉部１７よりも半径方向外方側の薄肉部１８とを有する。厚肉部１７の半径方向内周側部分に前記孔部１６が形成され、厚肉部１７のうち孔部１６よりも半径方向外方でかつクランパー組品１２に臨んで環状溝１７ａが凹設される。前記環状溝１７ａには永久磁石片１５が嵌合されて固着されている。また厚肉部１７の一表面部１７ｂと孔部１６との間の内周端部には、角面取り１９が形成されている。
【００２１】
クランパー組品１２に臨む厚肉部１７の一表面部１７ｂと、環状溝１７ａに固着されかつクランパー組品１２に臨む永久磁石片１５の一表面部１５ａとは、略面一状となるように配設される。前記略面一状は面一状を含む。厚肉部１７の外周部分には、記録媒体であるディスク２０（図３参照）を支持するための薄肉部１８が一体形成されている。クランパー組品１２に臨む薄肉部１８の一表面部１８ａは、厚肉部１７の一表面部１７ｂに環状のコーナー部２１およびガイド部２２を介して連なるように形成される。スピンドルモータ１３の一表面部１３ｂにそれぞれ臨む厚肉部１７の一表面部１７ｃおよび薄肉部１８の一表面部１８ｂは、面一状になるように形成される。
【００２２】
コーナー部２１は、環状溝１７ａおよびガイド部２２に近接するような大きな角面取り状に形成される。これによってターンテーブル１４と、クランパー組品１２とが近接する際の干渉を防止することができる。ガイド部２２は、コーナー部２１に連続して所定小距離形成されるとともに、軸線Ｌａまわりの仮想円筒面に沿って形成されている。このガイド部２２によって、ターンテーブル１４の回転軸線とディスク２０の回転軸線とは同軸に配設される。換言すれば、ガイド部２２は、ディスク２０の内周寸法に略一致するように形成される。
【００２３】
クランパー組品１２に臨む薄肉部１８の一表面部１８ａに、ディスク２０を載置し支持する環状のディスク支持部２３が形成されている。この環状のディスク支持部２３は、前記一表面部１８ａのうち半径方向外周側部分に形成されている。薄肉部１８のうちディスク支持部２３を除く部分には、環状凹所２４が形成されている。この環状凹所２４は、ディスク支持部２３の一表面部よりも矢符Ｚ１で示す軸線方向一方に所定小距離凹むように形成されている。したがってディスク２０をディスク支持部２３に載置し支持したとき、ディスク２０とターンテーブル１４との接触面積を少なくすることができる。これによってディスク２０をターンテーブル１４から容易に取り出すことができる。
【００２４】
クランパー組品１２は、主に、ディスク押さえ部材２５と、ヨーク板２６とを有する。このクランパー組品１２は、クランパー支持アングル２７によって支持されるとともに、ターンテーブル組品１２に対して当接離隔可能に構成される。つまりクランパー支持アングル２７を軸線方向一方または他方に移動させることによって、クランパー組品１２がターンテーブル組品１１に当接離隔する。
【００２５】
押圧手段としてのディスク押さえ部材２５には、先導ピン２８および弾性当接部材２９などが一体に付設されている。ディスク押さえ部材２５の半径方向内周側部分に、前記先導ピン２８が設けられている。先導ピン２８の軸線方向一端部は、ターンテーブル１４に形成される孔部１６に嵌合可能になっている。この先導ピン２８の軸線方向一端部は、矢符Ｚ１で示す軸線方向一方に向かうに従って小径となる円錐形状に形成されている。しかも厚肉部１７と孔部１６との間の内周端部には、前述の角面取り１９が形成されているので、先導ピン２８の軸線方向一端部を、前記孔部１６に容易にかつ円滑に嵌合させることができる。仮にターンテーブル組品１１の軸線と、クランパー組品１２の軸線とがやや不一致の状態で離隔していたとしても、テーパ形状に形成される先導ピン２８と前記角面取り１９とによって、この先導ピン２８の軸線方向一端部を、孔部１６に容易にかつ円滑に嵌合させることができる。これによってターンテーブル組品１１の軸線と、クランパー組品１２の軸線とを一致させることができる。したがって信頼性の高いディスク押さえ機構１０を実現することができる。
【００２６】
このように先導ピン２８をターンテーブル１４の孔部１６に嵌合させることによって、ターンテーブル１４の回転軸線と、クランパー組品１２の回転軸線とが一致する。しかも先導ピン２８を孔部１６に嵌合させ、ターンテーブル１４とディスク押さえ部材２５とが弾性当接部材２９を介して最接近したとき、図２に示すように、スピンドルモータ軸１３ａの一端部に、先導ピン２８のうち軸線方向一端部の円錐形状の頂部２８ａが当接するように構成されている。先導ピン２８の軸線方向他端部には、矢符Ｚ２にて示す軸線方向他方に臨む凹所２８ｂであって、成形によるヒケを防止するための凹所２８ｂが形成されている。
【００２７】
ディスク押さえ部材２５のうち、先導ピン２８から半径方向外方に向かうに従って、順次、ヨーク板支持部材３０および弾性当接部材２９、環状壁部３１、ディスク当接部３２、傾斜壁部３３、およびフランジ部３４が設けられている。前記環状壁部３１は、先導ピン２８の軸線まわりの仮想円筒面に沿って形成されている。また環状壁部３１は、前記ガイド部２２の矢符Ｚ２にて示す軸線方向他方に配設される。
【００２８】
環状壁部３１の軸線方向一端部と、ディスク当接部３２の半径方向内周側部分とは連続するように形成されている。ターンテーブル組品１１に臨む環状壁部３１の軸線方向一端部と、ディスク当接部３２の半径方向内周側部分との角部には、角面取り３５が形成されている。前記角面取り３５と、ターンテーブル１４に形成されるコーナー部２１とによって、仮にターンテーブル１４とディスク押さえ部材２５とが図２に示す最接近距離に保持されたとしても、ターンテーブル１４とディスク押さえ部材２５との干渉を防止することができる。コーナー部２１はディスク装着時にディスクをターンテーブルに正確に導くように案内の役目をするものである。
【００２９】
環状壁部３１の内周側部分に、緩衝手段としての一対の弾性当接部材２９が一体に形成されている。環状壁部３１の内周側部分と先導ピン２８の外周とにわたって、ヨーク板支持部材３０が設けられている。ヨーク板２６を支持するためのヨーク板支持部材３０は、先導ピン２８の軸線に垂直な仮想平面に沿って形成される。ターンテーブル１４およびディスク押さえ部材２５が最接近距離に位置したとしても、ヨーク板支持部材３０は、ターンテーブル１４に干渉しない位置に形成される。このようなヨーク板支持部材３０と環状壁部３１と先導ピン２８とによって環状凹所３６を成す。前記環状凹所３６にヨーク板２６が内嵌されて固着される。しかもヨーク板２６は、永久磁石片１５にヨーク板支持部材３０を介して軸線方向で対向するように設けられる。永久磁石片１５に対向するヨーク板２６によって生じる磁気吸着作用によって、ターンテーブル１４とディスク押さえ部材２５とを互いに吸引させることができる。これらヨーク板２６および永久磁石片１５が、吸引手段に相当する。
【００３０】
ヨーク板支持部材３０には一対のスリット３０ａが形成されている。これらスリット３０ａは、先導ピン２８を中心とした線対称位置に形成される。しかも一対のスリット３０ａは、先導ピン２８の軸線に垂直な一本の仮想直線に沿って形成される。一対のスリット３０ａによって、一対の弾性当接部材２９はそれぞれ軸線方向一方および他方に変位可能に配設される。言い換えれば、弾性当接部材２９は、ヨーク板支持部材３０に干渉することなく軸線方向一方および他方に変位可能に設けられる。
【００３１】
一対の弾性当接部材２９は、先導ピン２８を中心に線対称に配設される。しかも一対の弾性当接部材２９は、先導ピン２８の軸線に垂直な一本の仮想直線に略沿って配設される。各弾性当接部材２９は環状壁部３１から先導ピン２８側の略半径方向に突出するように形成される。各弾性当接部材２９は基端部３７と屈曲部３８とを備えている。
【００３２】
基端部３７は環状壁部３１に付設され、この基端部３７の半径方向内方側の先端部分に、屈曲部３８が一体に連なる。各弾性当接部材２９のうち基端部３７は、先導ピン２８の軸線方向に直交する半径方向に沿って形成される。各弾性当接部材２９のうち屈曲部３８は、基端部３７の先端部分から矢符Ｒ１で示す半径方向内方に向かうに従って矢符Ｚ１で示す軸線方向一方にやや屈曲し、さらに半径方向内方に向かうに従って矢符Ｚ２で示す軸線方向他方にやや屈曲する。
【００３３】
基端部３７および屈曲部３８は、ターンテーブル１４とディスク押さえ部材２５との間に介在される。そして基端部３７および屈曲部３８は、ターンテーブル１４とディスク押さえ部材２５とが軸線方向に近接するときに、ターンテーブル１４およびディスク押さえ部材２５が相対的に近づく力を吸収する。具体的には、図１に示すように、ディスクなしの状態で、クランパー支持アングル２７によって、ターンテーブル組品１１に対してクランパー組品１２を軸線方向一方に近接するように変位させる。
【００３４】
図２に示すように、先導ピン２８の軸線方向一端部が孔部１６に嵌合した後、永久磁石片１５に対向するヨーク板２６によって生じる磁気吸着作用によって、屈曲部３８がターンテーブル１４に当接する。つまり屈曲部３８は、ターンテーブル１４の一表面部１７ｂのうち、永久磁石片１５よりも矢符Ｒ１で示す半径方向内方の軸線付近に当接する。このときクランパー支持アングル２７は、フランジ部３４から離隔した状態になっている。弾性当接部材２９がターンテーブル１４に当接するとき、弾性当接部材２９が永久磁石片１５に当接することなくターンテーブル１４の一表面部１７ｂに当接する構造になっているので、永久磁石片１５に生じ得る割れおよび欠けなどの欠陥を未然に防止することができる。
【００３５】
前記屈曲部３８がターンテーブル１４の一表面部１７ｂに当接するとき、ターンテーブル１４およびディスク押さえ部材２５が相対的に近づく力を、弾性当接部材２９自体の弾性力で吸収することができる。詳細には、屈曲部３８がターンテーブル１４の一表面部１７ｂに当接するとき、屈曲部３８の当接状態を維持したまま、基端部３７の先端部分が矢符Ｚ２で示す軸線方向他方にやや弾性変位する。これら基端部３７および屈曲部３８が、衝撃吸収部に相当する。
【００３６】
このように弾性当接部材２９は、ターンテーブル１４とディスク押さえ部材２５とが近接するときに、ターンテーブル１４およびディスク押さえ部材２５が相対的に近づく力を吸収する基端部３７および屈曲部３８を含んでいる。したがってターンテーブル１４とディスク押さえ部材２５とのチャッキング時の衝突音を、基端部３７および屈曲部３８で吸収することができる。
【００３７】
また弾性当接部材２９は、ターンテーブル１４およびディスク押さえ部材２５が予め定める最接近距離よりも近づく方向の変位を阻止する。詳細には、屈曲部３８がターンテーブル１４の一表面部１７ｂに当接するとき、この屈曲部３８の当接状態を維持したまま、基端部３７の先端部分が軸線方向他方に予め定める最大変位量だけ変位する。逆に言えば、ターンテーブル１４とディスク押さえ部材２５とが近接するとき、基端部３７の先端部分は前記最大変位量を超えることなく軸線方向他方に変位する。このように弾性当接部材２９は、弾性変位するが、ターンテーブル１４およびディスク押さえ部材２５が最接近距離よりも近づく方向の変位を阻止するような剛性強度を有する。基端部３７および屈曲部３８の剛性強度によって、ターンテーブル１４およびディスク押さえ部材２５が最接近距離よりも近づく方向へ変位することを阻止することが可能となる。
【００３８】
したがって本実施の形態のディスク押さえ機構１０によれば、従来のように、チャッキング状態でヨーク板２６が永久磁石片１５に不所望に近付き過ぎることがなくなり、チャッキング状態での磁気吸着力が増加することもなくなる。したがってクランプ解除動作に必要な解除力も増加することがなくなる。それ故、本ディスク押さえ機構１０によれば、磁気吸着力の増加に起因する動作不具合を未然に防止することができる。これら基端部３７および屈曲部３８が、近接阻止部に相当する。
【００３９】
このようにターンテーブル１４とディスク押さえ部材２５とが弾性当接部材２９を介して最接近したとき、スピンドルモータ軸１３ａの一端部に、先導ピン２８のうち軸線方向一端部の円錐形状の頂部２８ａが当接する。ターンテーブル１４とディスク押さえ部材２５とが最接近した状態は、ターンテーブル１４とディスク押さえ部材２５とが最接近距離に近づいた状態と同義である。これによって、ターンテーブル１４およびディスク押さえ部材２５が、経時変化によって最接近距離からさらに近づく方向へ変位することを安定して阻止することができる。
【００４０】
仮にディスクなしで、本ディスク機構１０を、チャッキング状態のまま長時間放置したとしても、前記磁気吸着力でターンテーブル１４およびディスク押さえ部材２５が、経時変化によって最接近距離からさらに近づく方向へ変位することを安定して阻止することができる。このように信頼性の高いディスク押さえ機構１０を実現することができる。先導ピン２８およびスピンドルモータ軸１３ａが、阻止手段に相当する。
【００４１】
また先導ピン２８には、屈曲部３８の先端部分３８ａつまり半径方向内端部分が当接しないように、凹溝２８ｃが形成されている。つまり先導ピン２８のうち屈曲部３８の先端部分３８ａ付近の外周には、軸線方向に沿って屈曲部３８との干渉を防止するための凹溝２８ｃが形成されている。換言すれば、このように先導ピン２８に凹溝２８ｃが形成されるので、各弾性当接部材２９の屈曲部３８と先導ピン２８との干渉を防止することができる。たとえばターンテーブル１４とディスク押さえ部材２５とが近接して、基端部３７の先端部分が矢符Ｚ２で示す軸線方向他方にやや変位する場合においても、屈曲部３８は凹溝２８ｃ内で先導ピン２８に干渉することなく所定小距離移動する。
【００４２】
このように先導ピン２８に凹溝２８ｃが形成され、この凹溝２８ｃによって屈曲部３８の先端部分３８ａが先導ピン２８の外周に当接することを阻止することができる。したがってターンテーブル１４およびディスク押さえ部材２５が、最接近距離よりも近づく方向へ変位することを簡単に阻止することができる。逆に言えば、屈曲部３８の先端部分３８ａが先導ピン２８の外周に当接する構造であれば、その当接時の摩擦抵抗を考慮したうえで、弾性当接部材の剛性強度を設定する必要がある。本実施の形態のディスク押さえ機構１０では、前述したように凹溝２８ｃを設け、屈曲部３８の先端部分３８ａが凹溝に逃げることにより先導ピン２８の外周への当接を阻止しているので、前記摩擦抵抗を考慮することなく、ターンテーブル１４およびディスク押さえ部材２５が、最接近距離よりも近づく方向へ変位することを簡単に阻止することができる。
【００４３】
前記ターンテーブル組品１１は、薄肉部１８の半径方向内方側に厚肉部１７を有する。この厚肉部１７に、スピンドルモータ軸１３ａを嵌合させ、先導ピン２８を嵌合させるための孔部１６を形成している。さらに厚肉部１７には、永久磁石片１５を固着しなければならない。このように半径方向内方側の厚肉部１７は、必要最低限の厚みを確保しなければならない。
【００４４】
しかもターンテーブル１４は、弾性当接部材２９および先導ピン２８を除くクランパー組品１２の部材が、干渉することを阻止される構造になっているので、ターンテーブル組品１１の半径方向内方側部分に、弾性当接部材２９が当接する構造にすることが自然であり望ましい。本実施の形態のディスク押さえ機構１０では、このような複数の条件によって、弾性当接部材２９がターンテーブル組品１１の半径方向内方側部分に当接するようになっている。
【００４５】
図３は、ディスク２０有りでチャッキングさせた状態のディスク押さえ機構１０を、回転軸線Ｌａを含む仮想平面で切断して見た断面図である。ディスク２０は、クランパー支持アングル２７を矢符Ｚ１で示す軸線方向一方に変位させることで、前記磁気吸着作用によってチャッキングされる。つまりディスク２０は、ターンテーブル１４のディスク支持部２３と、ディスク押さえ部材２５のディスク当接部３２との間に挟持される。
【００４６】
このようにディスク２０がチャッキングされた状態では、弾性当接部材２９は、ターンテーブル１４に非接触状態となるように配設される。前記ディスク２０がチャッキングされた状態で、弾性当接部材２９の屈曲部３８は、ターンテーブル１４の一表面部１７ｂに軸線方向に小距離間隔をあけて配設される。したがってチャッキング状態で、ディスク２０の機械的精度に悪影響を与えることがなくなる。
【００４７】
以上説明したディスク押さえ機構１０によれば、特に弾性当接部材２９は、ターンテーブル１４とディスク押さえ部材２５とが近接するときに、ターンテーブル１４およびディスク押さえ部材２５が相対的に近づく力を吸収する衝撃吸収部としての基端部３７および屈曲部３８を含んでいるので、ターンテーブル１４とディスク押さえ部材２５とのチャッキング時の衝突音を、この衝撃吸収部で吸収することができる。
【００４８】
しかも弾性当接部材２９は、ターンテーブル１４およびディスク押さえ部材２５が予め定める最接近距離よりも近づく方向の変位を阻止する近接阻止部としての基端部３７および屈曲部３８を含んでいるので、これらターンテーブル１４およびディスク押さえ部材２５が最接近距離よりも近づくことを確実に阻止することができる。したがって永久磁石片１５およびヨーク板２６による吸引力を不所望に増加させることなく、ターンテーブル１４およびディスク押さえ部材２５を互いに離隔させる方向へ簡単にかつ確実に変位させることができる。このようにチャッキングさせる際の動作音の低減を図るとともに、クランプ解除動作を確実に行うことができる。
【００４９】
また阻止手段としての先導ピン２８およびスピンドルモータ軸１３ａは、ターンテーブル１４およびディスク押さえ部材２５が経時変化によって最接近距離から近づく方向へ変位することを阻止する。このように信頼性の高いディスク押さえ機構を実現することができる。またターンテーブル１４はガイド部２２を含み、このガイド部２２によって、ターンテーブル１４の回転軸線とディスク２０の回転軸線とを同軸に配設してディスク２０を支持する。このように二つの回転軸線を同軸に配設する構造を簡単に実現することができる。
【００５０】
本実施の形態では、ターンテーブル組品に永久磁石片が設けられ、クランパー組品にヨーク板が設けられているが、必ずしもこの形態に限定されるものではなく、逆にターンテーブル組品にヨーク板を設け、クランパー組品に永久磁石片を設ける形態であってもよい。この形態であっても、本実施の形態と同様の効果を奏する。
【００５１】
三つ以上の複数の弾性当接部材を設けてもよい。この場合、各弾性当接部材が一定間隔おきに配設されるうえ、複数の弾性当接部材にそれぞれ対応するスリットが形成される。このように各弾性当接部材が一定間隔おきに配設されるので、複数の弾性当接部材を均等にターンテーブルの一表面部に当接させることができる。クランパー組品に対し、ターンテーブル組品を近接離隔する構造にすることも可能である。この場合には、クランパー支持アングルを軸線方向に移動駆動させる必要がなくなる。ただしターンテーブル組品を軸線方向に移動駆動させる駆動源が必要となる。
【００５２】
阻止手段は、先導ピンおよびスピンドルモータ軸に必ずしも限定されるものではない。たとえばコーナ部およびこのコーナ部に対向する角面取り部の少なくともいずれか一方に付設される突起片を設けてもよい。このような阻止手段である突起片を設けた場合にも、本実施の形態と同様の効果を奏する。
【図面の簡単な説明】
【００５３】
【図１】本発明の実施の形態に係るディスク押さえ機構１０を示し、ディスクを挟持するクランプ動作前のディスク押さえ機構１０を、回転軸線Ｌａを含む仮想平面で切断して見た断面図である。
【図２】ディスクなしでチャッキングさせた状態のディスク押さえ機構１０を、回転軸線Ｌａを含む仮想平面で切断して見た断面図である。
【図３】ディスク２０ありでチャッキングさせた状態のディスク押さえ機構１０を、回転軸線Ｌａを含む仮想平面で切断して見た断面図である。
【図４】従来のディスク押さえ機構１を示し、クランプ動作前のディスク押さえ機構１を、回転軸線Ｌ１を含む仮想平面で切断して見た断面図である。
【図５】ディスクなしでチャッキングさせた状態の従来のディスク押さえ機構１を、回転軸線Ｌ１を含む仮想平面で切断して見た断面図である。
【図６】ディスク２ありでチャッキングさせた状態の従来のディスク押さえ機構１を、回転軸線Ｌ１を含む仮想平面で切断して見た断面図である。
【符号の説明】
【００５４】
１０  ディスク押さえ機構
１３ａ  スピンドルモータ軸
１４  ターンテーブル
１５  永久磁石片
２０  ディスク
２２  ガイド部
２５  ディスク押さえ部材
２６  ヨーク板
２８  先導ピン
２９  弾性当接部材
３７  基端部
３８  屈曲部
【図１】
2005056483.tif 000003
【図２】
2005056483.tif 000004
【図３】
2005056483.tif 000005
【図４】
2005056483.tif 000006
【図５】
2005056483.tif 000007
【図６】
2005056483.tif 000008